(57)【要約】【課題】隙間から挿入した針金等によっても昇降杆を係止解除することができない施錠装置を得、施錠信頼性を向上させる。【解決手段】外枠に対して開閉自在となった前枠を施錠する遊技機の施錠装置において、前枠の背面に固設したフレーム１と、フレーム１に摺動自在に設けられ外枠に係止するロット３と、フレーム１に固着して遊技機前面にキー穴を表出するシリンダー錠２１と、シリンダー錠２１の解錠によってロット３を係止解除方向に摺動させるシリンダーカムと、フレーム１側に回動自在に支持され前枠が外枠に閉鎖されることで一方向に回転する検知杆と、検知杆の一方向の回転に従動してロット３に係合してロット３の摺動を阻止する一方、シリンダーカムの回転に従動してロット３に対する係合を解除するロックカムとを設けた。【選択図】　　　図１
2004057469.tif 000002
【特許請求の範囲】
【請求項１】
ガラス扉を有し外枠に対して開閉自在となった前枠を施錠する遊技機の施錠装置であって、
前記前枠の背面に固設したフレームと、
該フレームに摺動自在に設けられ前記外枠に係止するロットと、
前記フレームに固着して遊技機前面にキー穴を表出するシリンダー錠と、
該シリンダー錠の解錠によって回転し前記ロットを係止解除方向に摺動させるシリンダーカムと、
凸部を有しフレーム側に回動自在に支持され前記前枠が前記外枠に閉鎖されることで前記凸部が押圧されて一方向に回転する検知杆と、
フレーム側に回動自在に支持され該検知杆の一方向の回転に従動して前記ロットに係合して該ロットの摺動を阻止する一方、前記シリンダーカムの回転に従動して前記ロットに対する係合を解除するロックカムと、
を具備したことを特徴とする施錠装置。
【請求項２】
請求項１記載の施錠装置において、
前記検知杆及び前記ロックカムが、
前記シリンダーカムの回動軸に直交方向の同一軸上に相対回転自在に支持されていることを特徴とする施錠装置。
【請求項３】
請求項２記載の施錠装置において、
前記シリンダーカム、前記検知杆、前記ロックカムを覆うユニットカバーが前記フレームに固着され、
該ユニットカバーに取り付けられた支持軸に、前記検知杆及び前記ロックカムが回動自在に支持されることを特徴とする施錠装置。
【発明の詳細な説明】
【０００１】
【発明の属する技術分野】
本発明は、ガラス扉を有し外枠に開閉自在となった前枠を施錠する遊技機の施錠装置に関し、さらに詳しくは、不正解錠を防止するとともに、遊技機への着脱を容易とする改良技術に関する。
【０００２】
【従来の技術】
従来、パチンコ遊技台等の施錠装置として、例えば実公昭５８−４５３８号公報に開示されているものがある。これは、図２３に示すように、前枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させるとともに、係止金具１０８，１０８と鉤片１０４，１０４との係止を解除して前枠１００を解錠するように構成されたものである。この施錠装置は、施錠機構の主要部材をネジ止めすることで前枠１００に固定していた。
【０００３】
【発明が解決しようとする課題】
しかしながら、上記した従来の施錠装置は、前枠の開閉端側の裏面に、昇降杆、カム板を配設し、これらの機構部が前枠の開閉端側の木口や背面から露出する状態となっていたため、前枠を閉鎖した場合であっても、前枠と外枠との隙間から針金等を挿入すれば、容易に機構部に接触して不正な行為、悪戯ができた。
【０００４】
そして、昇降杆がカム板だけによって上下摺動して係止金具に係脱する機構であったため、上記した隙間から針金等を挿入すれば、昇降杆を係止解除する方向に直接移動することも可能で、高い施錠信頼性を得ることができなかった。
【０００５】
本発明は上記状況に鑑みてなされたもので、隙間から挿入した針金等によっても昇降杆を係止解除することができない施錠装置を提供し、施錠信頼性の向上を図ることにある。
【０００６】
【課題を解決するための手段】
次に、上記の課題を解決するための手段を、実施の形態に対応する図面を参照して説明する。
この発明の請求項１記載の施錠装置は、ガラス扉を有し外枠５１に対して開閉自在となった前枠５３を施錠する遊技機の施錠装置であって、
前記前枠５３の背面に固設したフレーム１と、
該フレーム１に摺動自在に設けられ前記外枠５１に係止するロット３と、
前記フレーム１に固着して遊技機前面にキー穴を表出するシリンダー錠２１と、
該シリンダー錠２１の解錠によって回転し前記ロット３を係止解除方向に摺動させるシリンダーカム２８と、
凸部４３ａを有しフレーム１側に回動自在に支持され前記前枠５３が前記外枠５１に閉鎖されることで前記凸部４３ａが押圧されて一方向に回転する検知杆４３と、
フレーム１側に回動自在に支持され該検知杆４３の一方向の回転に従動して前記ロット３に係合して該ロット３の摺動を阻止する一方、前記シリンダーカム２８の回転に従動して前記ロット３に対する係合を解除するロックカム４７と、
を具備したことを特徴とする。
【０００７】
この施錠装置では、前枠５３が外枠５１に閉鎖され、ロット３が外枠５１に係止した状態となると、このロット３にさらにロックカム４７が係合し、ロット３の摺動が規制される。つまり、二重のロック状態となる。従って、ロット３を直接摺動することによるロット３と外枠５１との係止解除が阻止される。これにより、前枠５３の木口と外枠５１との隙間から針金等を挿入して、ロット３の係止を解除する前枠５３の不正解錠が防止される。
【０００８】
請求項２記載の施錠装置は、請求項１記載の施錠装置において、
前記検知杆４３及び前記ロックカム４７が、
前記シリンダーカム２８の回動軸の軸線方向に対し直交方向の同一軸上に相対回転自在に支持されていることを特徴とする。
【０００９】
この施錠装置では、施錠機構の主要部材である検知杆４３とロックカム４７とが一つの軸回りに配設され、施錠機構の占有スペースが小さくなって、コンパクト化が実現可能となる。また、検知杆４３とロックカム４７とが同一軸回りで作動されるので、それぞれが別個の軸で作動する機構に比べ、コンパクト化が図れ、部材相互の相対位置精度が高まり、作動信頼性が高まる。
【００１０】
請求項３記載の施錠装置は、請求項２記載の施錠装置において、
前記シリンダーカム２８、前記検知杆４３、前記ロックカム４７を覆うユニットカバー２９が前記フレーム１に固着され、
該ユニットカバー２９に取り付けられた支持軸３５に、前記検知杆４３及び前記ロックカム４７が回動自在に支持されることを特徴とする。
【００１１】
この施錠装置では、シリンダーカム２８、検知杆４３、ロックカム４７がユニットカバー２９によって覆われ、遊技機の背面側からロックカム４７等を解除操作し、前枠５３を開放する等の不正行為が行えなくなる。また、防犯性を高めるためのユニットカバー２９を利用して検知杆４３及びロックカム４７が支持され、例えばフレーム１等にこれらを支持するための部材を設ける必要がなくなり、施錠機構の占有スペースが小さくなり、かつ部材の高密度配置が可能となる。
【００１２】
【発明の実施の形態】
以下、本発明に係る施錠装置の好適な実施の形態を図面を参照して詳細に説明する。
図１は本発明に係る施錠装置の分解斜視図、図２は本発明に係る施錠装置の要部分解斜視図、図３は図２に示したシリンダーカムの斜視図、図４は図２に示したベース材の斜視図、図５は図２に示したユニットカバーの斜視図、図６は図２に示した支持軸の斜視図、図７は図２に示した検知杆の斜視図、図８は図２に示したロックカムの斜視図、図９は図２に示した軸受板の斜視図、図１０は図２に示したガイド軸の斜視図である。
【００１３】
本実施の形態による施錠装置は、遊技機であるパチンコ台に用いる場合を例に説明するが、この他、メダルを遊技媒体として使用するスロット等の遊技機に用いても後述する作用・効果を同様に奏するものである。
パチンコ台は、外枠に開閉自在となった前枠と、この前枠に対してさらに開閉自在となったガラス扉とを有している。これら前枠、ガラス扉の施錠は、前枠に設けて遊技台の表面に表出するシリンダ錠の回動方向によって施解錠操作が選択される。例えば、シリンダ錠を一方向に回転すれば、ガラス扉のみが前枠に対して解錠され、シリンダ錠を他方向に回転すれば前枠のみが外枠に対して解錠される。
【００１４】
図示しない前枠の背面には、断面が略コ字状となる図１に示すレール状のフレーム１を固設している。フレーム１の長手方向には同方向に長尺なロット３がピン５ａ，５ｂ，５ｃを介して摺動自在に設けられ、ロット３は上下端に、前枠の背面から突出するフック７，７と、後述のシリンダーカム２８と係合するカム穴３ａとを有している。フック７，７は、上方向へ摺動することで、図示しない外枠の係止部に係止し、下方向へ摺動することで係止を解除するようになっている。ロット３には後述するスライダー９とに亘ってコイルバネ１１が張架され、コイルバネ１１は付勢力によってロット３を上方向へ摺動させている。ロット３には係合突起１３が設けられ、係合突起１３は後述するロックカム４７と係合可能となる。
【００１５】
フレーム１の長手方向には同方向に長尺なスライダー９がピン１５ａ，１５ｂを介して摺動自在に設けられ、スライダー９は上下端に、前枠の前面から突出するフック１７，１７と、シリンダーカム２８と係合するカム穴９ａとを有している。フック１７，１７は、下方向へ摺動することで、図示しないガラス扉の係止部に係止し、上方向へ摺動することで係止を解除するようになっている。スライダー９には前述のロット３とに亘ってコイルバネ１１が張架され、コイルバネ１１は付勢力によってスライダー９を下方向へ摺動付勢させている。
【００１６】
ところで、フレーム１には切欠１９が形成され、切欠１９にはシリンダー錠２１が挿入されている。シリンダー錠２１はフレーム１に固着して遊技機前面にキー穴を表出する。このシリンダー錠２１の後部にはロックユニット２３が固設されている。このロックユニット２３は、後に詳述するように、シリンダー錠２１のキー穴に挿入された合鍵を回動することによって、ロット３、スライダー９を摺動させるとともに、前枠の開閉状態を検知して、閉状態では、ロット３の摺動を規制する、二重ロックを可能としている。
【００１７】
図２に示すように、シリンダー錠２１は、フレーム１の背面側から切欠１９へ挿入され、後端のフランジ２５と、フレーム１との間にベース材２７を挟入してフレーム１に取り付けられる。フランジ２５は、一対のビス挿通穴２５ａ、２５ａを有している。ベース材２７は、図４に示すように、シリンダー錠２１を挿通する抜き穴２７ａと、一対のビス挿通穴２７ｂ、２７ｂとを有している。ベース材２７は、例えば樹脂材等の弾性を有する材質からなり、フレーム１とシリンダー錠２１との固定性を高めている。
【００１８】
シリンダー錠２１の後端回動軸２１ａにはシリンダーカム２８が相対回転不能に取り付けられる。シリンダーカム２８は、例えば板金加工によって形成された板状部材であり、図３に示すように、外周に、ロット摺動腕２８ａと、スライダー摺動腕２８ｂと、ロック解除段部２８ｃとを有している。シリンダーカム２８は、シリンダー錠２１に合鍵が挿入され、合鍵が回動されることで図２の時計回り・反時計回りに回動される。
【００１９】
シリンダー錠２１のフレーム１への固定は、ロックユニット２３と共に行われる。ロックユニット２３は、全体を覆うユニットカバー２９を有している。図５に示すように、ユニットカバー２９には二つのビス挿通穴２９ａ，２９ａが穿設され、それぞれのビス挿通穴２９ａ，２９ａに挿入された図示しないビスは、フランジ２５、ベース材２７を貫通してフレーム１のネジ穴３３，３３へ螺合するようになっている。つまり、ロックユニット２３，フランジ２５，ベース材２７がビスによって共にフレーム１側へ螺着されるようになっている。
【００２０】
図５に示すように、ユニットカバー２９は、例えば透明或いは半透明な樹脂材から一体成形され、フレーム１に対向する側の側面を開口させた略直方体箱形状となっている。つまり、ユニットカバー２９は、側面の開口部２９ｂがフレーム１に固定されることで、内部のロック機構を覆うようになっている。ユニットカバー２９の底面には軸挿通穴２９ｃが穿設され、軸挿通穴２９ｃには支持軸３５がユニットカバー２９の長手方向（図２の上下方向）に挿入される。
【００２１】
図６に示すように、支持軸３５には、大径の頭部３５ａと、固定溝３５ｂが形成されている。ユニットカバー２９に挿入された支持軸３５は、頭部３５ａが底面に当接することでそれ以上の挿入が規制される。ユニットカバー２９の略中央部には軸受板３７が取り付けられる。図９に示すように、軸受板３７には、円周の一部分が開放した支持穴３７ａが形成されている。軸受板３７は、ユニットカバー２９に取り付けられることで、ユニットカバー２９に挿入された支持軸３５の固定溝３５ｂに支持穴３７ａを係止し、支持軸３５のユニットカバー２９からの抜けを規制する。これにより、支持軸３５は、ユニットカバー２９から抜脱不能となっている。
【００２２】
また、ユニットカバー２９の略中部の軸受板３７より上方には、ガイド軸４１が取り付けられる。ガイド軸４１は、図１０に示すように、後述のロックカム４７を支持するための軸部４１ａを有している。
【００２３】
このようにして、ユニットカバー２９に挿通された支持軸３５には、検知杆４３が回動自在に外挿される。検知杆４３は、図７に示すように、凸部４３ａ、ストッパ杆４３ｂを有している。検知杆４３の凸部４３ａは、ユニットカバー２９に形成された窓部２９ｄから外方へ突出される。支持軸３５には図２に示す検知杆用バネ４５が外挿され、検知杆用バネ４５は検知杆４３へ図２の矢印ａ方向の回転力を付勢している。また、検知杆４３の凸部４３ａは、前枠が外枠に対して閉鎖されると、外枠に当接し、検知杆用バネ４５の付勢力に抗して検知杆４３を矢印ｂ方向へ回転させる。
【００２４】
ユニットカバー２９の内部には、支持軸３５とガイド軸４１とによってロックカム４７が回動自在に支持されている。ロックカム４７は、図８に示すように、下部軸穴４７ａ、上部軸穴４７ｂ、ロック腕４７ｃ、ロック解除斜面４７ｄを有している。ロックカム４７は、下部軸穴４７ａに支持軸３５を挿通し、上部軸穴４７ｂにガイド軸４１の軸部４１ａを挿通して、回動自在にユニットカバー２９に支持される。すなわち、検知杆４３、ロックカム４７は、ユニットカバー２９を介してフレーム１側に回動自在に支持されている。
【００２５】
支持軸３５には図２に示すロックカム用バネ４９が外挿され、ロックカム用バネ４９はロックカム４７を図２の矢印ｂ方向へ付勢している。ロックカム用バネ４９の付勢力は、検知杆用バネ４５の付勢力より小さく設定されている。従って、ロックカム４７は、検知杆用バネ４５によって検知杆４３が矢印ａ方向へ回転されることで、検知杆４３のストッパ杆４３ｂによってロック腕４７ｃが押圧されて、同じく矢印ａ方向へ回転されている。検知杆４３の矢印ａ方向の回転は、凸部４３ａが窓部２９ｄに当接することで所定範囲に規制されている。
【００２６】
一方、検知杆４３の凸部４３ａが外枠に当接し、検知杆４３が矢印ｂ方向へ回転されると、ロックカム４７は、ロック腕４７ｃをストッパ杆４３ｂに当接させながら、ロックカム用バネ４９の付勢力によって、同じくｂ方向へ回転する。
【００２７】
このような構成において、後述の動作の説明によって明らかとなるように、ロックカム４７のロック腕４７ｃは、ロット３に設けた係合突起１３と係合・係合解除するようになっている。また、ロックカム４７は、後に詳述するように、ロック解除斜面４７ｄがシリンダーカム２８に押圧されることで矢印ａ方向に回転され、ロット３の係合突起１３との係合が解除されるようになっている。
【００２８】
次に、上記のように構成した施錠装置の動作を説明する。
図１１は前枠閉鎖時における要部を背面から見た動作説明図、図１２は図１の側面視を（ａ）、背面視を（ｂ）で示した組立外観図、図１３は前枠解錠時における要部を背面から見た動作説明図、図１４は図１２の前枠解錠状態における組立外観図、図１５はガラス扉解錠時における要部を背面から見た動作説明図、図１６は図１２のガラス扉解錠状態における組立外観図である。
【００２９】
先ず、シリンダーカム２８の回動に伴う、ロット３及びスライダー９の係止動作について説明する。
前枠の閉鎖時、図１１に示すように、シリンダーカム２８は、ロット摺動腕２８ａを、ロット３から離反させている。この状態で、図１２に示すように、ロット３が上方へ配置されるとともに、スライダー９が下方へ配置されている。これにより、前枠はロット３を介して外枠へ施錠され、ガラス扉はスライダー９を介して前枠へ施錠されている。
【００３０】
合鍵が遊技機の前面側からシリンダー錠２１に挿入され、図１３に示すように、シリンダーカム２８が時計回りに回転されると、ロット摺動腕２８ａが、ロット３のカム穴３ａを介してロット３を同図の下方向へ摺動させる。すると、図１４に示すように、フック７，７が下方向へ移動し、ロット３と外枠との係止が解除される。これにより、前枠は、外枠に対して開放可能となる。
【００３１】
一方、図１１の状態からシリンダーカム２８が図１５に示す反時計回りに回転されると、スライダー摺動腕２８ｂがスライダー９のカム穴９ａを介してスライダー９を同図の上方向へと摺動させる。すると、図１６に示すように、フック１７，１７が上方向へ移動し、スライダー９と前枠との係止が解除される。これにより、ガラス扉は、前枠に対して開放可能となる。
【００３２】
次に、検知杆４３の開閉検知によって実現するロット３の二重ロック動作について説明する。
図１７は前枠閉鎖時のシリンダー錠近傍の水平断面図、図１８は前枠解放時のシリンダー錠近傍の水平断面図、図１９は前枠閉鎖時の状態を背面視（ａ）、ｂ−ｂ断面（ｂ）、ｃ−ｃ断面（ｃ）で示した動作説明図、図２０は前枠解錠時の状態を背面視（ａ）、ｂ−ｂ断面（ｂ）、ｃ−ｃ断面（ｃ）で示した動作説明図、図２１は前枠開放時の状態を背面視（ａ）、ｂ−ｂ断面（ｂ）、ｃ−ｃ断面（ｃ）で示した動作説明図、図２２は前枠閉動開始時の状態を背面視（ａ）、ｂ−ｂ断面（ｂ）、ｃ−ｃ断面（ｃ）で示した動作説明図である。
【００３３】
図１７に示すように、検知杆４３は、前枠５３が閉鎖されると、凸部４３ａが外枠５１に押圧され、矢印ｂ方向へと回転する。これと同時に、図２に示したロックカム４７もロックカム用バネ４９の付勢力によって矢印ｂ方向へと回転する。また、図１８に示すように、前枠５３が開放されると、検知杆４３への外枠５１からの押圧力がなくなり、検知杆４３が検知杆用バネ４５の付勢力によって矢印ａ方向へ回転される。このとき、同時に、図２，図７に示した検知杆４３のストッパ杆４３ｂが、ロックカム４７のロック腕４７ｃを押圧して、ロックカム４７も同方向である矢印ａ方向へと回転される。
【００３４】
ここで、図１９に示すように、前枠５３の閉状態では、検知杆４３の矢印ｂ方向の回転に伴ってロックカム４７も矢印ｂ方向へと回転しており、ロックカム４７のロック腕４７ｃが、ロット３の係合突起１３と係合位置となる。ロック腕４７ｃは、係合突起１３の下方から当接している。従って、ロット３は、下方への摺動が阻止される。これにより、ロット３やフック７、７等を直接押し下げることによる、ロット３と外枠５１との不正な解錠が不能となる。つまり、ロット３が二重ロックされた状態となっている。
【００３５】
一方、前枠５３の閉状態において、合鍵がシリンダー錠２１に挿入され、前枠５３が解錠操作されると、図２０に示すように、シリンダーカム２８が矢印ｃ方向へと回転される。すると、シリンダーカム２８のロック解除段部２８ｃが、ロックカム４７のロック解除斜面４７ｄを押圧し、ロックカム４７を矢印ａ方向へ回転させる。これにより、ロックカム４７のロック腕４７ｃが、ロット３の係合突起１３と干渉しない図２０（ｃ）に示す位置へと移動され、ロット３の二重ロックが解除され、シリンダーカム２８によってロット３が下方向へと摺動されて、図１に示したフック７，７と外枠５１との係止が解除されて、前枠５３が解錠により開放される。
【００３６】
なお、前枠５３の開放状態では、図２１に示すように、検知杆４３が検知杆用バネ４５によって矢印ａ方向へ回転された状態となり、ロックカム４７も同方向へ回転された状態となることから、ロックカム４７のロック腕４７ｃが係合突起１３と干渉しない位置に配置され、ロット３の上下摺動は自在となる。
【００３７】
また、図２２に示すように、前枠５３が閉鎖されると、まず、フック７，７が外枠５１と係止し、その後、検知杆４３の凸部４３ａが外枠５１に当接して再び図１９の状態となる。すなわち、検知杆４３が矢印ｂ方向へ回転され、これに伴ってロックカム４７も同方向へと回転され、ロックカム４７のロック腕４７ｃが再び係合突起１３の下部に当接する位置へと配置されて、ロット３の下方向への摺動を阻止し、ロット３を二重ロック状態とする。
【００３８】
このように、上記の施錠装置によれば、前枠５３が外枠５１に閉鎖され、ロット３が外枠５１に係止した状態となると、このロット３にさらにロックカム４７が係合し、ロット３の摺動が規制される。つまり、二重のロック状態となる。従って、ロット３を直接摺動することによるロット３と外枠５１との係止解除が阻止される。これにより、前枠５３の木口と外枠５１との隙間から針金等を挿入して、ロット３の係止を解除する前枠の不正解錠が防止される。
【００３９】
また、施錠機構の主要部材である検知杆４３とロックカム４７とが一つの軸回りに配設され、施錠機構の占有スペースが小さくなって、コンパクト化が実現可能となる。また、検知杆４３とロックカム４７とが同一軸回りで作動されるので、それぞれが別個の軸で作動する機構に比べ、部材相互の相対位置精度が高まり、作動信頼性が高まる。
【００４０】
さらに、シリンダーカム２８、検知杆４３、ロックカム４７がユニットカバー２９によって覆われるので、遊技機の背面側からロックカム４７等を解除操作し、前枠を開放する等の不正行為が行えなくなる。また、防犯性を高めるためのユニットカバー２９を利用して検知杆４３及びロックカム４７が支持され、例えばフレーム１等にこれらを支持するための部材を設ける必要がなくなり、施錠機構の占有スペースが小さくなり、かつ部材の高密度配置が可能となる。
【００４１】
【発明の効果】
以上説明したように、本発明に係る請求項１記載の施錠装置によれば、前枠の閉鎖によって一方向に回転する検知杆と、この検知杆の回転に従動してロットに係合する一方、シリンダーカムの回転に従動してロットに対する係合を解除するロックカムとを備えたので、外枠に係止したロットにロックカムが係合し、ロットの摺動を規制することができ、ロットを直接摺動することによるロットと外枠との係止解除を阻止できる。これにより、前枠の木口と外枠との隙間から針金等を挿入してロットの係止を解除する前枠の不正解錠を防止でき、前枠の施錠信頼性を向上させることができる。
【００４２】
請求項２記載の施錠装置によれば、検知杆及びロックカムを、シリンダーカムの回動軸に対し直交する同一軸上に支持したので、施錠機構の主要部材を一つの軸回りに配設することができ、施錠機構の占有スペースを小さくして、コンパクト化を実現させることができる。
【００４３】
請求項３記載の施錠装置によれば、シリンダーカム、検知杆、ロックカムを、ユニットカバーが覆うので、遊技機の背面側からロックカムを解除操作し、前枠を開放する等の不正行為を防止することができる。また、ユニットカバーに取り付けられた支持軸に、検知杆及びロックカムが回動自在に支持されるので、防犯性を高めるためのユニットカバーを利用して、検知杆及びロックカムを支持でき、例えばフレーム等にこれらを支持するための部材を設ける必要がなくなり、これによっても、施錠機構の占有スペースを小さくし、かつ部材の高密度配置が可能となって、コンパクト化を実現させることができる。
【図面の簡単な説明】
【図１】本発明に係る施錠装置の分解斜視図である。
【図２】本発明に係る施錠装置の要部分解斜視図である。
【図３】図２に示したシリンダーカムの斜視図である。
【図４】図２に示したベース材の斜視図である。
【図５】図２に示したユニットカバーの斜視図である。
【図６】図２に示した支持軸の斜視図である。
【図７】図２に示した検知杆の斜視図である。
【図８】図２に示したロックカムの斜視図である。
【図９】図２に示した軸受板の斜視図である。
【図１０】図２に示したガイド軸の斜視図である。
【図１１】前枠閉鎖時における要部を背面から見た動作説明図である。
【図１２】図１の側面視を（ａ）、背面視を（ｂ）で示した組立外観図である。
【図１３】前枠解錠時における要部を背面から見た動作説明図である。
【図１４】図１２の前枠解錠状態における組立外観図である。
【図１５】ガラス扉解錠時における要部を背面から見た動作説明図である。
【図１６】図１２のガラス扉解錠状態における組立外観図である。
【図１７】前枠閉鎖時のシリンダー錠近傍の水平断面図である。
【図１８】前枠解放時のシリンダー錠近傍の水平断面図である。
【図１９】前枠閉鎖時の状態を背面視（ａ）、ｂ−ｂ断面（ｂ）、ｃ−ｃ断面（ｃ）で示した動作説明図である。
【図２０】前枠解錠時の状態を背面視（ａ）、ｂ−ｂ断面（ｂ）、ｃ−ｃ断面（ｃ）で示した動作説明図である。
【図２１】前枠開放時の状態を背面視（ａ）、ｂ−ｂ断面（ｂ）、ｃ−ｃ断面（ｃ）で示した動作説明図である。
【図２２】前枠閉動開始時の状態を背面視（ａ）、ｂ−ｂ断面（ｂ）、ｃ−ｃ断面（ｃ）で示した動作説明図である。
【図２３】従来の遊技台用施錠装置の斜視図である。
【符号の説明】
１…フレーム
３…ロット
２１…シリンダー錠
２８…シリンダーカム
２９…ユニットカバー
３５…支持軸
４３…検知杆
４３ａ…凸部
４７…ロックカム
５１…外枠
５３…前枠
【図１】
2004057469.tif 000003
【図２】
2004057469.tif 000004
【図３】
2004057469.tif 000005
【図４】
2004057469.tif 000006
【図５】
2004057469.tif 000007
【図６】
2004057469.tif 000008
【図７】
2004057469.tif 000009
【図８】
2004057469.tif 000010
【図９】
2004057469.tif 000011
【図１０】
2004057469.tif 000012
【図１１】
2004057469.tif 000013
【図１２】
2004057469.tif 000014
【図１３】
2004057469.tif 000015
【図１４】
2004057469.tif 000016
【図１５】
2004057469.tif 000017
【図１６】
2004057469.tif 000018
【図１７】
2004057469.tif 000019
【図１８】
2004057469.tif 000020
【図１９】
2004057469.tif 000021
【図２０】
2004057469.tif 000022
【図２１】
2004057469.tif 000023
【図２２】
2004057469.tif 000024
【図２３】
2004057469.tif 000025